(57)【特許請求の範囲】
【請求項１】
コンピュータを、
ユーザにより入力された出発地及び目的地を含む検索要求を受け付ける受付手段、
前記検索要求に含まれる出発地から目的地までの交通手段を検索する検索手段、
前記検索手段の検索結果を表示するための画面データを生成して出力する生成手段であり、前記検索手段の検索結果に、運行が確定している第一交通手段と、運行が確定していない第二交通手段と、が含まれる場合、当該画面データにおいて、当該第二交通手段に関する箇所の表示態様の強調度合を、当該第一交通手段に関する箇所の表示態様の強調度合に比べて低くする生成手段、
前記検索手段の検索結果に前記第二交通手段が含まれる場合、当該第二交通手段の代わりに、ユーザが操作可能な移動手段を提案する提案手段、
前記提案手段による提案がユーザにより承認された場合に、ユーザに報酬を付与する付与手段、
として機能させるためのプログラム。
【請求項２】
コンピュータを、
ユーザにより入力された出発地及び目的地を含む検索要求を受け付ける受付手段、
前記検索要求に含まれる出発地から目的地までの交通手段を検索する検索手段、
前記検索手段の検索結果を表示するための画面データを生成して出力する生成手段であり、前記検索手段の検索結果に、第一交通手段と、当該第一交通手段よりも運行確率が低い第二交通手段と、が含まれる場合、当該画面データにおいて、当該第二交通手段に関する箇所の表示態様の強調度合を、当該第一交通手段に関する箇所の表示態様の強調度合に比べて低くする生成手段、
前記検索手段の検索結果に前記第二交通手段が含まれる場合、当該第二交通手段の代わりに、ユーザが操作可能な移動手段を提案する提案手段、
前記提案手段による提案がユーザにより承認された場合に、ユーザに報酬を付与する付与手段、
として機能させるためのプログラム。
【請求項３】
コンピュータを、
ユーザにより入力された出発地及び目的地を含む検索要求を受け付ける受付手段、
前記検索要求に含まれる出発地から目的地までの交通手段を検索する検索手段、
前記検索手段の検索結果を表示するための画面データを生成して出力する生成手段であり、前記検索手段の検索結果に、運行が確定している第一交通手段と、運行が確定していない第二交通手段と、が含まれる場合、当該画面データにおいて、当該第二交通手段に関する箇所の表示態様の強調度合を、当該第一交通手段に関する箇所の表示態様の強調度合に比べて低くする生成手段、
前記検索手段の検索結果に前記第二交通手段が含まれる場合、当該第二交通手段の代わりに、ユーザが操作可能な移動手段を提案する提案手段、
として機能させ、
前記生成手段は、前記検索手段の検索結果が複数ある場合、前記第一交通手段に関する箇所及び前記第二交通手段に関する箇所を個別に候補として表示する表示欄と、前記第二交通手段の代わりに前記移動手段を提案する提案欄と、を含む前記画面データを生成して出力する、
プログラム。
【請求項４】
コンピュータを、
ユーザにより入力された出発地及び目的地を含む検索要求を受け付ける受付手段、
前記検索要求に含まれる出発地から目的地までの交通手段を検索する検索手段、
前記検索手段の検索結果を表示するための画面データを生成して出力する生成手段であり、前記検索手段の検索結果に、第一交通手段と、当該第一交通手段よりも運行確率が低い第二交通手段と、が含まれる場合、当該画面データにおいて、当該第二交通手段に関する箇所の表示態様の強調度合を、当該第一交通手段に関する箇所の表示態様の強調度合に比べて低くする生成手段、
前記検索手段の検索結果に前記第二交通手段が含まれる場合、当該第二交通手段の代わりに、ユーザが操作可能な移動手段を提案する提案手段、
として機能させ、
前記生成手段は、前記検索手段の検索結果が複数ある場合、前記第一交通手段に関する箇所及び前記第二交通手段に関する箇所を個別に候補として表示する表示欄と、前記第二交通手段の代わりに前記移動手段を提案する提案欄と、を含む前記画面データを生成して出力する、
プログラム。
【請求項５】
前記生成手段は、前記検索手段の検索結果に前記第一交通手段と前記第二交通手段が含まれる場合、当該第二交通手段に関する箇所の表示色を、当該第一交通手段に関する箇所の表示色よりも薄い表示色にする、
請求項１乃至４の何れか１項に記載のプログラム。
【請求項６】
前記第一交通手段に関する箇所は、当該第一交通手段の経路を示す線表示部分を含み、
前記第二交通手段に関する箇所は、当該第二交通手段の経路を示す線表示部分を含む、
請求項１乃至５の何れか１項に記載のプログラム。
【請求項７】
前記生成手段は、前記検索手段の検索結果に前記第一交通手段と前記第二交通手段が含まれる場合、当該第二交通手段の経路を示す線表示部分の幅を、当該第一交通手段の経路を示す線表示部分の幅よりも細い幅にする、
請求項６に記載のプログラム。
【請求項８】
前記生成手段は、前記検索手段の検索結果に前記第一交通手段と前記第二交通手段が含まれる場合、当該第一交通手段の経路を示す線表示部分を、当該第二交通手段の経路を示す線表示部分よりも強調する、
請求項６に記載のプログラム。
【請求項９】
前記生成手段は、前記検索手段の検索結果に前記第二交通手段が含まれる場合、当該第二交通手段の運行状況を表示する、
請求項１乃至８の何れか１項に記載のプログラム。
【請求項１０】
前記運行状況は、前記第二交通手段の運行確率を含む、
請求項９に記載のプログラム。
【請求項１１】
前記コンピュータを、
前記提案手段の提案がユーザにより承認された場合に、前記移動手段の予約処理を実行する予約手段、
として更に機能させる請求項１乃至１０の何れか１項に記載のプログラム。
【請求項１２】
前記第一交通手段は、電車を含み、
前記第二交通手段は、タクシーを含む、
請求項１乃至１１の何れか１項に記載のプログラム。
【請求項１３】
ユーザにより入力された出発地及び目的地を含む検索要求を受け付ける受付手段と、
前記検索要求に含まれる出発地から目的地までの交通手段を検索する検索手段と、
前記検索手段の検索結果を表示するための画面データを生成して出力する生成手段であり、前記検索手段の検索結果に、運行が確定している第一交通手段と、運行が確定していない第二交通手段と、が含まれる場合、当該画面データにおいて、当該第二交通手段に関する箇所の表示態様の強調度合を、当該第一交通手段に関する箇所の表示態様の強調度合に比べて低くする生成手段と、
前記検索手段の検索結果に前記第二交通手段が含まれる場合、当該第二交通手段の代わりに、ユーザが操作可能な移動手段を提案する提案手段と、
前記提案手段による提案がユーザにより承認された場合に、ユーザに報酬を付与する付与手段と、
を備える情報処理装置。
【請求項１４】
ユーザにより入力された出発地及び目的地を含む検索要求を受け付ける受付手段と、
前記検索要求に含まれる出発地から目的地までの交通手段を検索する検索手段と、
前記検索手段の検索結果を表示するための画面データを生成して出力する生成手段であり、前記検索手段の検索結果に、第一交通手段と、当該第一交通手段よりも運行確率が低い第二交通手段と、が含まれる場合、当該画面データにおいて、当該第二交通手段に関する箇所の表示態様の強調度合を、当該第一交通手段に関する箇所の表示態様の強調度合に比べて低くする生成手段と、
前記検索手段の検索結果に前記第二交通手段が含まれる場合、当該第二交通手段の代わりに、ユーザが操作可能な移動手段を提案する提案手段と、
前記提案手段による提案がユーザにより承認された場合に、ユーザに報酬を付与する付与手段と、
を備える情報処理装置。
【請求項１５】
ユーザにより入力された出発地及び目的地を含む検索要求を受け付ける受付手段と、
前記検索要求に含まれる出発地から目的地までの交通手段を検索する検索手段と、
前記検索手段の検索結果を表示するための画面データを生成して出力する生成手段であり、前記検索手段の検索結果に、運行が確定している第一交通手段と、運行が確定していない第二交通手段と、が含まれる場合、当該画面データにおいて、当該第二交通手段に関する箇所の表示態様の強調度合を、当該第一交通手段に関する箇所の表示態様の強調度合に比べて低くする生成手段と、
前記検索手段の検索結果に前記第二交通手段が含まれる場合、当該第二交通手段の代わりに、ユーザが操作可能な移動手段を提案する提案手段と、
を備え、
前記生成手段は、前記検索手段の検索結果が複数ある場合、前記第一交通手段に関する箇所及び前記第二交通手段に関する箇所を個別に候補として表示する表示欄と、前記第二交通手段の代わりに前記移動手段を提案する提案欄と、を含む前記画面データを生成して出力する、情報処理装置。
【請求項１６】
ユーザにより入力された出発地及び目的地を含む検索要求を受け付ける受付手段と、
前記検索要求に含まれる出発地から目的地までの交通手段を検索する検索手段と、
前記検索手段の検索結果を表示するための画面データを生成して出力する生成手段であり、前記検索手段の検索結果に、第一交通手段と、当該第一交通手段よりも運行確率が低い第二交通手段と、が含まれる場合、当該画面データにおいて、当該第二交通手段に関する箇所の表示態様の強調度合を、当該第一交通手段に関する箇所の表示態様の強調度合に比べて低くする生成手段と、
前記検索手段の検索結果に前記第二交通手段が含まれる場合、当該第二交通手段の代わりに、ユーザが操作可能な移動手段を提案する提案手段と、
を備え、
前記生成手段は、前記検索手段の検索結果が複数ある場合、前記第一交通手段に関する箇所及び前記第二交通手段に関する箇所を個別に候補として表示する表示欄と、前記第二交通手段の代わりに前記移動手段を提案する提案欄と、を含む前記画面データを生成して出力する、情報処理装置。
【発明の詳細な説明】
【技術分野】
【０００１】
本発明は、プログラム及び情報処理装置に関する。
【背景技術】
【０００２】
特許文献１には、出発地から目的地までの交通手段を検索する技術が開示されている。
【先行技術文献】
【特許文献】
【０００３】
【特許文献１】特開２０１９−２１１９６０号公報
【発明の概要】
【発明が解決しようとする課題】
【０００４】
しかしながら、特許文献１に記載の技術では、交通手段の検索結果画面において、電車とタクシー等が同じ表示態様で表されている。この場合、検索結果画面を見たユーザは、全て同じように運行していると誤解してしまう恐れがある。
【０００５】
本発明はこのような課題に鑑みてなされたものであり、その目的は、交通手段の検索結果画面を見たユーザの誤解を低減することができるプログラム及び情報処理装置を提供することにある。
【課題を解決するための手段】
【０００６】
上記課題を解決するために、本発明の第一態様に係るプログラムは、コンピュータを、ユーザにより入力された出発地及び目的地を含む検索要求を受け付ける受付手段、前記検索要求に含まれる出発地から目的地までの交通手段を検索する検索手段、前記検索手段の検索結果を表示するための画面データを生成して出力する生成手段であり、前記検索手段の検索結果に、運行が確定している第一交通手段と、運行が確定していない第二交通手段と、が含まれる場合、当該画面データにおいて、当該第二交通手段に関する箇所の表示態様の強調度合を、当該第一交通手段に関する箇所の表示態様の強調度合に比べて低くする生成手段、として機能させる。
【０００７】
また、本発明の第二態様に係るプログラムは、コンピュータを、ユーザにより入力された出発地及び目的地を含む検索要求を受け付ける受付手段、前記検索要求に含まれる出発地から目的地までの交通手段を検索する検索手段、前記検索手段の検索結果を表示するための画面データを生成して出力する生成手段であり、前記検索手段の検索結果に、第一交通手段と、当該第一交通手段よりも運行確率が低い第二交通手段と、が含まれる場合、当該画面データにおいて、当該第二交通手段に関する箇所の表示態様の強調度合を、当該第一交通手段に関する箇所の表示態様の強調度合に比べて低くする生成手段、として機能させる。
【０００８】
また、本発明の第三態様に係るプログラムでは、前記生成手段は、前記検索手段の検索結果に前記第一交通手段と前記第二交通手段が含まれる場合、当該第二交通手段に関する箇所の表示色を、当該第一交通手段に関する箇所の表示色よりも薄い表示色にする。
【０００９】
また、本発明の第四態様に係るプログラムでは、前記第一交通手段に関する箇所は、当該第一交通手段の経路を示す線表示部分を含み、前記第二交通手段に関する箇所は、当該第二交通手段の経路を示す線表示部分を含む。
【００１０】
また、本発明の第五態様に係るプログラムでは、前記生成手段は、前記検索手段の検索結果に前記第一交通手段と前記第二交通手段が含まれる場合、当該第二交通手段の経路を示す線表示部分の幅を、当該第一交通手段の経路を示す線表示部分の幅よりも細い幅にする。
【００１１】
また、本発明の第六態様に係るプログラムでは、前記生成手段は、前記検索手段の検索結果に前記第一交通手段と前記第二交通手段が含まれる場合、当該第一交通手段の経路を示す線表示部分を、当該第二交通手段の経路を示す線表示部分よりも強調する。
【００１２】
また、本発明の第七態様に係るプログラムでは、前記生成手段は、前記検索手段の検索結果に前記第二交通手段が含まれる場合、当該第二交通手段の運行状況を表示する。
【００１３】
また、本発明の第八態様に係るプログラムでは、前記運行状況は、前記第二交通手段の運行確率を含む。
【００１４】
また、本発明の第九態様に係るプログラムでは、前記コンピュータを、前記検索手段の検索結果に前記第二交通手段が含まれる場合、当該第二交通手段の代わりに、ユーザが操作可能な移動手段を提案する提案手段、として更に機能させる。
【００１５】
また、本発明の第十態様に係るプログラムでは、前記コンピュータを、前記提案手段の提案がユーザにより承認された場合に、前記移動手段の予約処理を実行する予約手段、として更に機能させる。
【００１６】
また、本発明の第十一態様に係るプログラムでは、前記第一交通手段は、電車を含み、前記第二交通手段は、タクシーを含む。
【００１７】
また、本発明の第十二態様に係る情報処理装置は、ユーザにより入力された出発地及び目的地を含む検索要求を受け付ける受付手段と、前記検索要求に含まれる出発地から目的地までの交通手段を検索する検索手段と、前記検索手段の検索結果を表示するための画面データを生成して出力する生成手段であり、前記検索手段の検索結果に、運行が確定している第一交通手段と、運行が確定していない第二交通手段と、が含まれる場合、当該画面データにおいて、当該第二交通手段に関する箇所の表示態様の強調度合を、当該第一交通手段に関する箇所の表示態様の強調度合に比べて低くする生成手段と、を備える。
【００１８】
また、本発明の第十三態様に係る情報処理装置は、ユーザにより入力された出発地及び目的地を含む検索要求を受け付ける受付手段と、前記検索要求に含まれる出発地から目的地までの交通手段を検索する検索手段と、前記検索手段の検索結果を表示するための画面データを生成して出力する生成手段であり、前記検索手段の検索結果に、第一交通手段と、当該第一交通手段よりも運行確率が低い第二交通手段と、が含まれる場合、当該画面データにおいて、当該第二交通手段に関する箇所の表示態様の強調度合を、当該第一交通手段に関する箇所の表示態様の強調度合に比べて低くする生成手段と、を備える。
【発明の効果】
【００１９】
本発明によれば、交通手段の検索結果画面を見たユーザの誤解を低減することができる。
【図面の簡単な説明】
【００２０】
【図１】本発明の実施形態に係る検索システムの全体構成の一例を示すブロック図である。
【図２】図１に示すサーバ装置のハードウェア構成の一例を示すブロック図である。
【図３】サーバ装置の機能構成の一例を示すブロック図である。
【図４】検索システムの検索処理の流れの一例を示すフローチャートである。
【図５】端末装置に表示される検索ページの一例を示す説明図である。
【図６】検索結果ページの一例を示す説明図である。
【図７】検索結果ページの変形例を示す説明図である。
【図８】検索結果ページの別の変形例を示す説明図である。
【発明を実施するための形態】
【００２１】
以下、添付図面を参照しながら本発明の実施形態について説明する。説明の理解を容易にするため、各図面において同一の構成要素及びステップに対しては可能な限り同一の符号を付して、重複する説明は省略する。
【００２２】
＜全体構成＞
図１は、本発明の実施形態（以下、適宜、「本実施形態」という。）に係る検索システム１の全体構成の一例を示すブロック図である。
【００２３】
検索システム１は、出発地点から目的地点までの移動経路及び交通手段の検索処理を実行するシステムである。この検索システム１は、サーバ装置１０と、端末装置１２と、を備える。これらの装置は、インターネットや電話回線等の通信ネットワークＮＴを介して互いに通信可能に構成されている。
【００２４】
サーバ装置１０は、端末装置１２の要求に応じて、出発地点から目的地点までの移動経路及び交通手段の検索処理を実行し、検索結果を端末装置１２に送信するコンピュータである。
【００２５】
端末装置１２は、ユーザが操作する装置であり、ユーザによる、出発地点と目的地点の入力を受け付け、これらの入力情報を含む検索要求をサーバ装置１０に送信し、検索結果を画面に出力する。この端末装置１２としては、携帯電話やスマートフォン、タブレット、パーソナルコンピュータ等が挙げられる。
【００２６】
＜ハードウェア構成＞
図２は、図１に示すサーバ装置１０のハードウェア構成の一例を示すブロック図である。
【００２７】
図２に示すように、サーバ装置１０は、制御装置２０と、通信装置２６と、記憶装置２８と、を備える。制御装置２０は、ＣＰＵ（Ｃｅｎｔｒａｌ  Ｐｒｏｃｅｓｓｉｎｇ  Ｕｎｉｔ）２２及びメモリ２４を主に備えて構成される。
【００２８】
制御装置２０では、ＣＰＵ２２がメモリ２４或いは記憶装置２８等に格納された所定のプログラムを実行することにより、各種の機能手段として機能する。この機能手段の詳細については後述する。
【００２９】
通信装置２６は、外部の装置と通信するための通信インターフェース等で構成される。通信装置２６は、例えば、端末装置１２との間で各種の情報を送受信する。
【００３０】
記憶装置２８は、ハードディスク等で構成される。記憶装置２８は、制御装置２０における処理の実行に必要な各種プログラムや各種の情報、及び処理結果の情報を記憶する。
【００３１】
なお、サーバ装置１０は、専用又は汎用のサーバ・コンピュータなどの情報処理装置を用いて実現することができる。また、サーバ装置１０は、単一の情報処理装置より構成されるものであっても、通信ネットワークＮＴ上に分散した複数の情報処理装置より構成されるものであってもよい。また、図２は、サーバ装置１０が有する主要なハードウェア構成の一部を示しているに過ぎず、サーバ装置１０は、サーバが一般的に備える他の構成を備えることができる。また、複数の端末装置１２のハードウェア構成も、例えば操作手段や表示装置等を備える他は、サーバ装置１０と同様の構成を備えることができる。
【００３２】
＜機能構成＞
図３は、サーバ装置１０の機能構成の一例を示すブロック図である。
【００３３】
サーバ装置１０は、機能構成として、記憶手段５０と、受付手段５２と、検索手段５４と、生成手段５６と、提案手段５８と、予約手段６０と、付与手段６２と、を備える。これらの機能構成は、例えば、ＣＰＵ２２がプログラムを実行することにより実現される。
【００３４】
記憶手段５０は、ウェブページ５０Ａと、経路情報５０Ｂを記憶する機能を有する。ウェブページ５０Ａは、後述する検索ページ等を含む。経路情報５０Ｂは、例えば日本全国の経路情報と、当該経路情報が示す経路を移動する交通手段の運行時間や値段等を含む。
【００３５】
受付手段５２は、ユーザにより入力された出発地及び目的地を含む検索要求を受け付ける機能を有する。
【００３６】
検索手段５４は、検索要求に含まれる出発地から目的地までの交通手段を検索する機能を有する。
【００３７】
生成手段５６は、検索手段５４の検索結果を表示するための画面データを生成して出力する機能を有する。ここで、生成手段５６は、検索手段５４の検索結果に、運行が確定している第一交通手段と、運行が確定していない第二交通手段と、が含まれる場合、当該画面データにおいて、当該第二交通手段に関する箇所の表示態様の強調度合を、当該第一交通手段に関する箇所の表示態様の強調度合に比べて低くする。また、生成手段５６は、検索手段５４の検索結果に、第一交通手段と、当該第一交通手段よりも運行確率が低い第二交通手段と、が含まれる場合、当該画面データにおいて、当該第二交通手段に関する箇所の表示態様の強調度合を、当該第一交通手段に関する箇所の表示態様の強調度合に比べて低くしてもよい。
【００３８】
上記第一交通手段としては、電車やバス等が挙げられる。上記第二交通手段は、タクシーや飛行機、船等が挙げられる。勿論、タクシーや飛行機、船等の予約がされており、運行が確定しれば、タクシーや飛行機、船も、第一交通手段として考えてよい。また、第一交通手段に関する箇所は、当該第一交通手段の経路を示す線表示部分を含み、第二交通手段に関する箇所は、当該第二交通手段の経路を示す線表示部分を含んでもよい。
【００３９】
第二交通手段に関する箇所の表示態様の強調度合を、第一交通手段に関する箇所の表示態様の強調度合に比べて低くする具体例としては、第二交通手段に関する箇所の表示色を、第一交通手段に関する箇所の表示色よりも薄い表示色にする方法や、第二交通手段の経路を示す線表示部分の幅を、第一交通手段の経路を示す線表示部分の幅よりも細い幅にする方法が挙げられる。また、第一交通手段の経路を示す線表示部分を、第二交通手段の経路を示す線表示部分よりも強調する方法も挙げられる。
【００４０】
また、生成手段５６は、検索手段５４の検索結果に第二交通手段が含まれる場合、第二交通手段の運行状況を表示してもよい。運行状況としては、第二交通手段が運行しているか否かの情報や、運行確率等が挙げられる。
【００４１】
提案手段５８は、検索手段５４の検索結果に第二交通手段が含まれる場合、当該第二交通手段の代わりに、ユーザが操作可能な移動手段を提案する機能を有する。この移動手段としては、例えば、自転車やスケートボード、ローラスケート、レンタカー、レンタルバイク等が挙げられる。
【００４２】
予約手段６０は、提案手段５８の提案がユーザにより承認された場合に、移動手段の予約処理を実行する機能を有する。
【００４３】
付与手段６２は、提案手段５８の提案がユーザにより承認された場合又は移動手段の予約処理が完了した場合に、当該ユーザに報酬を付与する機能を有する。報酬としては、交通手段で利用可能なポイントやチケット等、交通に関する報酬が好ましい。
【００４４】
＜検索処理の流れ＞
図４は、検索システム１の検索処理の流れの一例を示すフローチャートである。以下の処理の順番及び内容は適宜変更することが可能である。
【００４５】
（ステップＳＰ１０）
端末装置１２は、ユーザによる操作に応じて、経路検索を行う検索ページのページ要求をサーバ装置１０に送信する。そして、処理は、ステップＳＰ１２の処理に移行する。
【００４６】
（ステップＳＰ１２）
サーバ装置１０の受付手段５２は、端末装置１２から、ページ要求を受信する。これに応答して、受付手段５２は、ウェブページ５０Ａから検索ページを取得し、要求元の端末装置１２に送信する。そして、処理は、ステップＳＰ１４の処理に移行する。
【００４７】
（ステップＳＰ１４）
端末装置１２は、サーバ装置１０から、検索ページを受信する。これに応答して、端末装置１２は、検索ページを表示する。
【００４８】
図５は、端末装置１２に表示される検索ページ８０の一例を示す説明図である。
【００４９】
図５に示すように、検索ページ８０は、出発日時を入力するための入力欄８２と、出発地点を入力するための入力欄８４と、目的地点を入力するための入力欄８６と、ユーザによる押下が可能な検索ボタン８８と、を含む。
【００５０】
図４に戻って、処理は、ステップＳＰ１６の処理に移行する。
【００５１】
（ステップＳＰ１６）
端末装置１２は、検索ページ８０において、出発日時等、ユーザによる入力を受け付ける。そして、処理は、ステップＳＰ１８の処理に移行する。
【００５２】
（ステップＳＰ１８）
端末装置１２は、入力された情報を含む検索要求をサーバ装置１０に送信する。そして、処理は、ステップＳＰ２０の処理に移行する。
【００５３】
（ステップＳＰ２０）
サーバ装置１０の受付手段５２は、端末装置１２から、検索要求を受信することで、検索要求を受け付ける。これに応答して、検索手段５４は、経路情報５０Ｂと、
検索要求に含まれる情報と、経路情報５０Ｂとに基づき、当該検索要求に含まれる出発地から目的地までの移動経路及び交通手段を検索する。そして、処理は、ステップＳＰ２２の処理に移行する。
【００５４】
（ステップＳＰ２２）
サーバ装置１０の生成手段５６は、検索手段５４の検索結果に第一交通手段と第二交通手段とが有るか否か、すなわち、検索手段５４の検索結果に、運行が確定している第一交通手段と、運行が確定していない第二交通手段と、が含まれているか否かを判定する。そして、当該判定が肯定判定された場合には処理はステップＳＰ２４の処理に移行し、当該判定が否定判定された場合には処理はステップＳＰ２８の処理に移行する。
【００５５】
（ステップＳＰ２４）
生成手段５６は、第二交通手段の表示態様を変更するための変更フラグをオンにする。そして、処理は、ステップＳＰ２６の処理に移行する。
【００５６】
（ステップＳＰ２６）
生成手段５６は、移動手段を提案するための提案フラグをオンにする。なお、第二交通手段が、例えばタクシー等の特定の交通手段の場合にのみ、提案フラグをオンにしてもよい。そして、処理は、ステップＳＰ２８の処理に移行する。
【００５７】
（ステップＳＰ２８）
生成手段５６は、検索手段５４の検索結果を表示するための画面データとして検索結果ページ（データ）を生成する。ここで、表示態様変更フラグがオンになっている場合には、生成手段５６は、検索結果ページにおいて、第二交通手段に関する箇所の表示態様の強調度合を、第一交通手段に関する箇所の表示態様の強調度合に比べて低くする。また、提案フラグがオンになっている場合には、生成手段５６は、検索結果ページに、移動手段の提案を含める。そして、処理は、ステップＳＰ３０の処理に移行する。
【００５８】
（ステップＳＰ３０）
生成手段５６は、生成した検索結果ページを端末装置１２に送信する。そして、処理は、ステップＳＰ３２の処理に移行する。
【００５９】
（ステップＳＰ３２）
端末装置１２は、サーバ装置１０から、検索結果ページを受信する。これに応答して、端末装置１２は、受信した検索結果ページを表示する。
【００６０】
図６は、検索結果ページの一例を示す説明図である。
【００６１】
図６に示すように、検索結果ページ１００Ａには、検索結果が複数ある場合、個別に候補として表示する表示欄１２０と、第二交通手段（タクシー）の代わりに、ユーザが操作可能な移動手段（自転車等）を提案する提案欄１３０と、ユーザによる押下が可能な承認ボタン１３２と、を含む。この表示欄１２０は、第一交通手段に関する箇所１２２と、第二交通手段に関する箇所１２４と、を含む。第一交通手段に関する箇所１２２に関する箇所は、第一交通手段の経路を示す線表示部分としての矢印１２６を含む。第二交通手段に関する箇所１２４は、第二交通手段の経路を示す線表示部分としての矢印１２８を含む。
【００６２】
ここで、第二交通手段に関する箇所１２４の表示態様の強調度合は、第一交通手段に関する箇所１２２の表示態様の強調度合に比べて低い。具体的には、第二交通手段に関する箇所１２４の表示色が、第一交通手段に関する箇所１２２の表示色よりも薄い表示色である。図６では、この「薄い表示色」をハッチング及び点線にて表現している。また、矢印１２８の表示態様の強調度合も、矢印１２６の表示態様の強調度合に比べて低い。具体的には、矢印１２８の表示色が、矢印１２８の表示色よりも薄い表示色であったり、矢印１２８の外枠が点線であったりしてもよい。
【００６３】
図７は、検索結果ページの変形例を示す説明図である。
【００６４】
図７に示すように、検索結果ページ１００Ｂには、検索結果が複数ある場合、個別に候補として表示する表示欄１２０を含む。表示欄１２０には、運行が確定していることを示す「ＦＩＸ」という標記１４０と、運行が確定していないことを示す「ＰＲＯＢＡＢＬＹ」という標記１４２と、第一交通手段の経路を示す線表示部分１４４と、第二交通手段の経路を示す線表示部分１４６と、第一交通手段の運行確率１４８と、第二交通手段の運行確率１５０と、を含む。ここで、検索結果ページ１００Ｂにおいて、第二交通手段の経路を示す線表示部分１４６の幅は、第一交通手段の経路を示す線表示部分１４４の幅よりも、細い幅となっている。
【００６５】
図８は、検索結果ページの別の変形例を示す説明図である。
【００６６】
図８に示すように、検索結果ページ１００Ｃには、検索結果が複数ある場合、個別に候補として表示する表示欄１２０を含む。この表示欄１２０は、第一交通手段に関する箇所１２２と、第二交通手段に関する箇所１２４と、を含む。ここで、検索結果ページ１００Ｃにおいて、第一交通手段に関する箇所１２２が、第二交通手段に関する箇所１２４に比べて太字で強調されている。言い換えれば、第二交通手段に関する箇所１２４の表示態様の強調度合が、第一交通手段に関する箇所１２２の表示態様の強調度合に比べて低い。
【００６７】
図４に戻って、処理は、ステップＳＰ３４の処理に移行する。
【００６８】
（ステップＳＰ３４）
端末装置１２は、例えば、検索結果ページ１００Ａにおいて、承認ボタン１３２が押下されたか否か、すなわち、提案手段５８の提案がユーザにより承認されたか否かを判定する。そして、当該判定が肯定判定された場合には処理はステップＳＰ３６の処理に移行し、当該判定が否定判定された場合には処理は図４に示す一連の処理が終了する。
【００６９】
（ステップＳＰ３６）
端末装置１２は、提案手段５８が提案した移動手段の予約ページのページ要求をサーバ装置１０に送信する。そして、処理は、ステップＳＰ３８の処理に移行する。
【００７０】
（ステップＳＰ３８）
サーバ装置１０の受付手段５２は、端末装置１２から、ページ要求を受信することで、ページ要求を受け付ける。これに応答して、サーバ装置１０の予約手段６０は、ウェブページ５０Ａから予約ページを取得し、要求元の端末装置１２に送信（出力）する。そして、処理は、ステップＳＰ４０の処理に移行する。
【００７１】
（ステップＳＰ４０）
端末装置１２は、サーバ装置１０から、予約ページを受信する。これに応答して、端末装置１２は、受信した予約ページを表示する。続いて、端末装置１２は、予約ページにおいて、ユーザによる入力を受け付ける。入力の受付が完了すると、端末装置１２は、入力された情報を含む予約要求をサーバ装置１０に送信する。そして、処理は、ステップＳＰ４２の処理に移行する。
【００７２】
（ステップＳＰ４２）
サーバ装置１０の受付手段５２は、予約要求を受信することで、当該予約要求を受け付ける。これに応答して、サーバ装置１０の予約手段６０は、予約要求に含まれる情報に基づいて、移動手段の予約処理を実行する。予約処理が完了すると、生成手段５６は、予約処理の結果を含む予約結果ページを生成し、当該予約結果ページを端末装置１２に送信する。そして、処理は、ステップＳＰ４４の処理に移行する。
【００７３】
（ステップＳＰ４４）
端末装置１２は、サーバ装置１０から、予約結果ページを受信する。これに応答して、端末装置１２は、受信した予約結果ページを表示する。
【００７４】
＜効果＞
以上、本実施形態では、プログラムが、コンピュータとしてのサーバ装置１０を、ユーザにより入力された出発地及び目的地を含む検索要求を受け付ける受付手段５２、検索要求に含まれる出発地から目的地までの交通手段を検索する検索手段５４、検索手段５４の検索結果を表示するための画面データを生成して出力する生成手段５６であり、検索手段５４の検索結果に、運行が確定している第一交通手段と、運行が確定していない第二交通手段と、が含まれる場合、当該画面データにおいて、当該第二交通手段に関する箇所の表示態様の強調度合を、当該第一交通手段に関する箇所の表示態様の強調度合に比べて低くする生成手段５６、として機能させる。
【００７５】
この構成によれば、第二交通手段に関する箇所の表示態様の強調度合を低くすることで、運行が確定している第一交通手段と、運行が確定していない第二交通手段が同じように見えてしまうことを抑制するとともに、第二交通手段については運行が確定していないことを知らせることができ、もって、交通手段の検索結果画面（検索結果ページ１００Ａ〜１００Ｃ）を見たユーザの誤解を低減することができる。
【００７６】
また、本実施形態では、プログラムが、コンピュータとしてのサーバ装置１０を、  ユーザにより入力された出発地及び目的地を含む検索要求を受け付ける受付手段５２、検索要求に含まれる出発地から目的地までの交通手段を検索する検索手段５４、検索手段５４の検索結果を表示するための画面データを生成して出力する生成手段５６であり、検索手段５４の検索結果に、第一交通手段と、当該第一交通手段よりも運行確率が低い第二交通手段と、が含まれる場合、当該画面データにおいて、当該第二交通手段に関する箇所の表示態様の強調度合を、当該第一交通手段に関する箇所の表示態様の強調度合に比べて低くする生成手段５６、として機能させる。
【００７７】
この構成によれば、第二交通手段に関する箇所の表示態様の強調度合を低くすることで、第一交通手段と、第一交通手段よりも運行確率が低い第二交通手段が同じように見えてしまうことを抑制するとともに、第二交通手段については運行確率が低く、運行が確定していないことを知らせることができ、もって、交通手段の検索結果画面（検索結果ページ１００Ａ〜１００Ｃ）を見たユーザの誤解を低減することができる。
【００７８】
また、本実施形態では、生成手段５６は、検索手段５４の検索結果に第一交通手段と第二交通手段が含まれる場合、当該第二交通手段に関する箇所の表示色を、当該第一交通手段に関する箇所の表示色よりも薄い表示色にする。
【００７９】
この構成によれば、第二交通手段について暈すことができ、運行が確定していないことを知らせることができる。
【００８０】
また、本実施形態では、第一交通手段に関する箇所１２２は、当該第一交通手段の経路を示す線表示部分を含み、第二交通手段に関する箇所１２４は、当該第二交通手段の経路を示す線表示部分を含む。
【００８１】
この構成によれば、線表示部分で強調度合を分けることができるため、交通手段の検索結果画面（検索結果ページ１００Ａ〜１００Ｃ）を見たユーザの誤解をより低減することができる。
【００８２】
また、本実施形態では、生成手段５６は、検索手段５４の検索結果に第一交通手段と第二交通手段が含まれる場合、当該第二交通手段の経路を示す線表示部分の幅を、当該第一交通手段の経路を示す線表示部分の幅よりも細い幅にする。
【００８３】
この構成によれば、線表示部分の幅で強調度合を分けることができるため、交通手段の検索結果画面（検索結果ページ１００Ａ〜１００Ｃ）を見たユーザの誤解をより低減することができる。
【００８４】
また、本実施形態では、生成手段５６は、検索手段５４の検索結果に第一交通手段と第二交通手段が含まれる場合、当該第一交通手段の経路を示す線表示部分を、当該第二交通手段の経路を示す線表示部分よりも強調する。
【００８５】
この構成によれば、線表示部分で強調度合を分けることができるため、交通手段の検索結果画面（検索結果ページ１００Ａ〜１００Ｃ）を見たユーザの誤解をより低減することができる。
【００８６】
また、本実施形態では、生成手段５６は、検索手段５４の検索結果に第二交通手段が含まれる場合、当該第二交通手段の運行状況を表示する。
【００８７】
この構成によれば、第二交通手段の運行状況を表示することで、交通手段の検索結果画面（検索結果ページ１００Ａ〜１００Ｃ）を見たユーザの誤解をより低減することができるとともに、第二交通手段を利用できるかどうかの判断をさせることができる。
【００８８】
また、本実施形態では、運行状況は、第二交通手段の運行確率を含む。
【００８９】
この構成によれば、第二交通手段の運行確率を表示することで、第二交通手段を利用できるかどうかの判断材料とすることができる。
【００９０】
また、本実施形態では、プログラムが、コンピュータとしてのサーバ装置１０を、  検索手段５４の検索結果に第二交通手段が含まれる場合、当該第二交通手段の代わりに、ユーザが操作可能な移動手段を提案する提案手段５８として更に機能させる。
【００９１】
この構成によれば、ユーザの移動をスムーズにすることができる。
【００９２】
また、本実施形態では、プログラムが、コンピュータとしてのサーバ装置１０を、提案手段５８の提案がユーザにより承認された場合に、移動手段の予約処理を実行する予約手段６０として更に機能させる。
【００９３】
この構成によれば、ユーザの移動をよりスムーズにすることができる。
【００９４】
また、本実施形態では、第一交通手段は、電車を含み、第二交通手段は、タクシーを含む。
【００９５】
この構成によれば、運行が確定している電車と、運行が確定していないタクシーの違いをユーザに知らせることができ、もって、交通手段の検索結果画面（検索結果ページ１００Ａ〜１００Ｃ）を見たユーザの誤解を低減することができる。
【００９６】
＜変形例＞
なお、本発明は上記の実施形態に限定されるものではない。すなわち、上記の実施形態に、当業者が適宜設計変更を加えたものも、本発明の特徴を備えている限り、本発明の範囲に包含される。また、上記実施形態及び後述する変形例が備える各要素は、技術的に可能な限りにおいて組み合わせることができ、これらを組み合わせたものも本発明の特徴を含む限り本発明の範囲に包含される。
【００９７】
例えば、上記実施形態では、生成手段５６は、第二交通手段に関する箇所１２４の表示色を、第一交通手段に関する箇所１２２の表示色よりも薄い表示色にする場合を説明したが、第二交通手段に関する箇所１２４の透明度を、第一交通手段に関する箇所１２２の透明度よりも高くしてもよい。また、生成手段５６は、第二交通手段に関する箇所１２４の領域を、第一交通手段に関する箇所１２２の領域よりも小さくしてもよい。また、生成手段５６は、第二交通手段に関する箇所１２４の形状を、第一交通手段に関する箇所１２２の形状に比べて変更してもよい。
【００９８】
また、上記実施形態では、生成手段５６は、第二交通手段に関する箇所１２４の表示態様の強調度合を、第一交通手段に関する箇所１２２の表示態様の強調度合に比べて低くする場合を説明したが、第二交通手段に関する箇所１２４の表示態様の強調度合を、第二交通手段の種類や第二交通手段の運行確率に応じて変更してもよい。具体的には、第一交通手段に関する箇所１２２の表示態様の強調度合を「高」としたとき、第二交通手段の種類がタクシーである場合には、強調度合を「中」にし、第二交通手段の種類が乗合バスである場合には、強調度合を「小」にしてもよい。また、第二交通手段の運行確率が５０％以上の場合には、強調度合を「中」にし、第二交通手段の運行確率が５０％未満の場合には、強調度合を「小」にしてもよい。
【００９９】
また、上記実施形態では、受付手段５２等の機能手段は、サーバ装置１０が備える場合を説明したが、機能手段の全部又は一部を端末装置１２が備えてもよい。また、提案手段５８や予約手段６０等、機能手段の一部は検索システム１から省略することもできる。
【符号の説明】
【０１００】
１０：サーバ装置（コンピュータ）、５２：受付手段、５４：検索手段、５６：生成手段
【図１】
0006982895.tif 000002
【図２】
0006982895.tif 000003
【図３】
0006982895.tif 000004
【図４】
0006982895.tif 000005
【図５】
0006982895.tif 000006
【図６】
0006982895.tif 000007
【図７】
0006982895.tif 000008
【図８】
0006982895.tif 000009